(57)【特許請求の範囲】
【請求項１】
自由端と、当該自由端に従属する側壁面と、底部と、を有する容器に取り付けられるように構成されたヒンジ付の蓋部構造であって、
前記容器の前記自由端に重なるように構成されたフランジ部と、当該容器の当該自由端の外側に位置し少なくとも一部を周縁を縁取りするように構成されたスカート部と、を含む縁部と、
間隔を有して離れ間に溝部を形成する一対の壁部材を含み、前記容器の前記側壁面の上側部分を全周より少なく受けるように構成された取付構造部と、
前記縁部を前記取付構造部に接続するヒンジ部と、
タブ部と、前記容器の側壁面の上側部分に係合するように構成された当該タブ部から突き出て係止のために下が切り取られた係止突出部とを有する前記縁部に取り付けられたラッチ部材と
を備え、
前記タブ部は、破裂指向域にて前記スカート部の少なくともひとつの端に固定されることを特徴とするヒンジ付の蓋部構造。
【請求項２】
請求項１に記載のヒンジ付の蓋部構造において、
前記縁部と前記取付構造部と前記ヒンジ部と前記ラッチとは、一体となった単位として１回のモールド成型により形成されることを特徴とするヒンジ付の蓋部構造。
【請求項３】
請求項１に記載のヒンジ付の蓋部構造において、
前記ラッチ部材は、前記縁部に関連して動くように動作可能であり、前記容器の側壁面の上側部分に係合することによって閉じた位置において前記縁部に選択的に係止されることを特徴とするヒンジ付の蓋部構造。
【請求項４】
請求項１に記載のヒンジ付の蓋部構造において、
前記縁部が閉じた位置にあるとき、前記容器の側壁面の内側表面に係合するため、当該縁部は前記フランジ部から突き出た突出部を含むことを特徴とするヒンジ付の蓋部構造。
【請求項５】
請求項１に記載のヒンジ付の蓋部構造において、
前記縁部が閉じた位置にあるとき、前記容器の側壁面の上側部分に係合するため、前記スカート部は当該スカート部の内側表面から飛び出すリブ部を含むことを特徴とするヒンジ付の蓋部構造。
【請求項６】
請求項５に記載のヒンジ付の蓋部構造において、
前記スカート部は、前記リブ部を前記容器の側壁面の上側部分から係合解除するに際して助けるための切欠部を含むことを特徴とするヒンジ付の蓋部構造。
【請求項７】
請求項１に記載のヒンジ付の蓋部構造において、
前記リブ部は、それと共に板紙カバーを受けるために構成されることを特徴とするヒンジ付の蓋部構造。
【請求項８】
請求項１に記載のヒンジ付の蓋部構造において、
前記取付構造部は、前記壁部の部材の一つから前記容器の側壁面の上側部分に係合するために構成された前記溝部へと飛び出す、少なくとも一つの上方に向けられ下が切り取られたフランジ部を含むことを特徴とするヒンジ付の蓋部構造。
【請求項９】
請求項１に記載のヒンジ付の蓋部構造において、
前記ヒンジ部は、機能しているヒンジであることを特徴とするヒンジ付の蓋部構造。
【請求項１０】
請求項１に記載のヒンジ付の蓋部構造において、
前記ヒンジ部は、縁部を前記取付構造部に接続する２つの柔軟なねじれ部材を含むことを特徴とするヒンジ付の蓋部構造。
【請求項１１】
自由端と、当該自由端に従属する側壁面と、底部と、を有する容器に取り付けられるように構成されたヒンジ付の蓋部構造であって、
前記容器の前記自由端に重なるように構成されたフランジ部と、当該容器の当該自由端の外側に位置し少なくとも一部を周縁を縁取りするように構成されたスカート部と、を含む縁部と、
空間を有して離れて間に溝部を形成する一対の壁部材を含み、前記容器の前記側壁面の上側の部分の全周より少なく受けるように構成された取付構造部と、
板紙カバーとを備え、
前記カバーは、前記フランジ部と前記取付構造部とに固定され、ヒンジとして機能することを特徴とするヒンジ付の蓋部構造。
【請求項１２】
請求項１１に記載のヒンジ付の蓋部構造において、
前記縁部はラッチ部材を含み、
前記ラッチ部材は、タブ部と、前記容器の側壁面の上側部分に係合するように構成された当該タブ部から突き出て係止のために下が切り取られた突出部とを有することを特徴とするヒンジ付の蓋部構造。
【請求項１３】
請求項１２に記載のヒンジ付の蓋部構造において、
前記ラッチ部材は、前記縁部に関連して動くように動作可能であり、
前記容器の側壁面の上側部分に係合することによって閉じた位置において前記縁部に選択的に係止することを特徴とするヒンジ付の蓋部構造。
【請求項１４】
請求項１３に記載のヒンジ付の蓋部構造において、
前記タブ部は、破裂指向域にて前記スカート部の少なくともひとつの端に固定されることを特徴とするヒンジ付の蓋部構造。
【請求項１５】
請求項１４に記載のヒンジ付の蓋部構造において、
前記縁部が閉じた位置にあるとき、前記容器の側壁面の内側表面に係合するため、当該縁部は前記フランジ部から突き出た突出部を含むことを特徴とするヒンジ付の蓋部構造。
【請求項１６】
請求項１１に記載のヒンジ付の蓋部構造において、
前記縁部が閉じた位置にあるとき、前記容器の側壁面の上側部分に係合するため、前記スカート部は当該スカート部の内側表面から飛び出すリブ部を含むことを特徴とするヒンジ付の蓋部構造。
【請求項１７】
請求項１６に記載のヒンジ付の蓋部構造において、
前記スカート部は、前記リブ部を前記容器の側壁面の上側部分から係合解除するに際して助けるための切欠部を含むことを特徴とするヒンジ付の蓋部構造。
【請求項１８】
請求項１１に記載のヒンジ付の蓋部構造において、
前記取付構造部は、前記壁部の部材の一つから前記容器の側壁面の上側部分に係合するために構成された前記溝部へと飛び出す、少なくとも一つの上方に向けられ下が切り取られたフランジ部を含むことを特徴とするヒンジ付の蓋部構造。
【請求項１９】
請求項１１に記載のヒンジ付の蓋部構造において、
前記板紙カバーをヒンジとして機能させるために、当該板紙カバーは線に沿って折り目が入れられることを特徴とするヒンジ付の蓋部構造。
【請求項２０】
収納部と蓋部構造とを備える容器であって、
前記収納部は、
前記収納部の中の所蔵室に対してアクセス開口部を画定する自由端部分を備える側壁面と、
肩部を形成する前記自由端部分に近接するロール状の唇部と
を含み、
前記蓋部構造は、
前記自由端部分の外側に位置するスカート部を有し当該自由端部分の少なくとも実質的な部分を囲う縁部と、
前記自由端部分の上端に重なるフランジ部と、
前記収納部に取り付けられる取付構造部と、
前記取付構造部と前記収納部に関連して前記縁部のヒンジ状の動きを可能とする当該縁部との間に延びた一体となったヒンジ部材と、
前記縁部に固定されたカバー部と、
前記縁部に取り付けられて当該縁部に関連して動くために動作可能であって前記ロール状の唇部の部分に係合することによって閉じた位置にて前記蓋部構造を選択的に係止するラッチ部材と、
を含むことを特徴とする容器。
【請求項２１】
請求項２０に記載の容器において、
前記ラッチ部材は、破裂指向域にて前記スカート部の少なくともひとつの側面の端に固定されることを特徴とする容器。
【請求項２２】
請求項２０に記載の容器において、
前記ラッチ部材が閉じた位置にて前記縁部に開放可能に固定されるために閉じた位置にあるとき、当該ラッチ部材は前記タブに係合するために位置付けられる第１の係止部材を含むことを特徴とする容器。
【請求項２３】
請求項２０に記載の容器において、
前記取付構造部は、その間に溝部を形成する間隔を有して離れた一対の壁部材と、前記壁部材のひとつから前記タブ部に係合するために位置付けられる前記溝部へと突き出た少なくともひとつの上方に向けられた突出部とを含むことを特徴とする容器。
【発明の詳細な説明】
【背景技術】
【０００１】
食品の容器は本技術分野において公知である。そのような容器は、一般的に収納部と蓋部とを含む。蓋部は、様々な方法で、容器に取り付けられる。例えば、摩擦による密着、ねじ固定、永久的に取り付けられる蓋部、接着剤で取り付けられた蓋部等が挙げられる。そのような容器の例を、米国特許第６，７７２，９０４号、第３，４１７，８９７号、第５，１４５，０８８号、第７，０９７，４４６号、第２，５４１，６０４号において見つけることができる。ここに記載した特許のいずれもが、ヒンジ付の蓋部又はヒンジ付の蓋部分を有する容器構造を開示している。
【０００２】
【特許文献１】米国特許第６，７７２，９０４号
【特許文献２】米国特許第３，４１７，８９７号
【特許文献３】米国特許第５，１４５，０８８号
【特許文献４】米国特許第７，０９７，４４６号
【特許文献５】米国特許第２，５４１，６０４号
【発明の開示】
【発明が解決しようとする課題】
【０００３】
いくつかの食品容器の製造において、収納部は、紙原料で作られ、継ぎ合わされた側壁面と、形成された継ぎ目を介して側壁面に接続する底面と、容器の開放端部を形成し上側のロール状の唇部を有する上側部分とを有する。唇部は、使用中の容器の上側部分と、関連する蓋部のための閉じる手段の一部との曲げにいくらかの抵抗を提供する。脂肪や水のような液体が紙材料基材に移るのを防ぐために、紙はしばしば被覆される。収納部の開放端部が曲げられることに関連して収納部の開放端部の強度を更に高めるために、いくつかの蓋部構造が提供される。上記特許のいくつかにて開示されるように、蓋部のカバー部分は、収納部にヒンジ状に接続される。更に、カバーが閉じた形状で動かないようにするために、カバーは、カバーと収納部との間に開放可能な係合関係を提供するように構成される。
【０００４】
食品容器の製造において、費用と機能性とは、設計における２つの主要な検討項目である。一般的に、包装は利幅が低く、費用における小さな減少さえ非常に望まれる。更に、費用の増加がなく、又は、費用の減少さえ伴った機能のいかなる増加もまた非常に望まれる。
【０００５】
蓋部構造は収納部に取り付けられるように構成されており、蓋部構造は、不正開封を防止する機能（tamper evidence）と、組み立ての容易性と、蓋部構造の可動カバー部分と収納部との間のヒンジ状の接続部と、を備えることが望まれる。プラスチック製の蓋部構造が板紙の容器に作動可能に取り付けられることが、更に強く望まれる。
【課題を解決するための手段】
【０００６】
（発明の概要）
本発明は、アクセスを画定する開放端部分を備えた側壁面を有する収納部に取り付けられるように構成された蓋部構造の提供を必要とする。収納部の側壁面はまた、ロール状の上側の唇部分を備える。蓋部構造は、収納部の側壁面の上側端部分の外側に位置し、少なくともそれの実質的な部分の周りに境界線を画する部分を備えた縁部を有する。蓋部構造は、容器の収納部の開放端部に重なるフランジ部を有し、取付構造部を介して付加される。一実施形態では、機能しているヒンジ部材が取付構造部と縁部との間に延びて、収納部に関連する縁部のヒンジ状の動きを可能にする。カバーが閉じた形状にあるとき、カバーはアクセスのための開口部に重なる関係となるように縁部に固定される。ラッチ部材は縁部に取り付けられ、縁部に関連して動くように動作可能であり、上側の唇部の部分に係合することによってカバーを蓋部構造の閉じた位置に選択的に係止する。縁部は、ラッチ部材の反対の端部に延びる部分を有する。縁部は、側壁面の部分の周りに境界線を描き、係合する。
【発明を実施するための最良の形態】
【０００７】
様々な図面を通して同様の数字は、同様の、又は類似の部品又は構造を示す。
【０００８】
符号１は、一般的に、収納部２と蓋部構造３とを有する容器（食品のために一般的に使用される）を示す。図示された構造において、収納部２は、側壁面４と底部壁面５とを含む。収納部２は、そこへのアクセス開口を提供する上側の開放端部６を有する。図３に最も良く見られるように、収納部２の上側部分は外側に向けてロール状に巻かれた上側唇部８を有する。
【０００９】
好ましい実施形態において、収納部２は、心棒の周りに板紙を巻いて、側壁面４の継ぎ目１２を形成する空白部の端の余白部分を接合することによって形成されることができる板紙で形成される。収納部２は、熱結合によるか、或いは、接着剤の使用を介して、側壁面４に固定される底部壁面５を含む。そのような収納部は、産業界において周知である。板紙が使われるとき、食物の構成要素の移動、例えば、水、及び／又は、脂肪が紙に移動することを防ぐために、板紙は被覆されることが望ましい。被覆は、ポリエチレンなどがあり得る。ここに記述される発明の形式の各々における収納部２は、実質的に同じであり、便宜のために同じ構成と構成要素を有するものとして示される。容器の断面形状はいかなる適した形状も取り得る一方で、図示された収納部２は、丸みを帯びた角部を備えた幾分長方形の形状を有する。輸送と取り扱いのために、収納部２の一方が他方の中に入れ子状に入り込むことが可能となるように、側壁面４はテーパ状になっている。
【００１０】
本発明の実施形態の各々の蓋部構造３，３Ａ，３Ｂ，３Ｃ，３Ｄは、一般的に、類似の縁部構造と取付構造部とを共有している一方で、ヒンジ構造とラッチ部材の領域において特に異なっている。
【００１１】
取付構造部２０は、図２，図３，図４において最良に見ることができる。取付構造部２０は、間隔を有して離れた一対の壁部材２１，２２を含み、間に溝部２４を形成する。側壁面４の上側部分は、側壁面４の内側表面２５に係合する壁２１を備えた溝部２４の中にて収納される。図３にて示されるように、取付構造部２０は、上方に向けられ下が切り取られたフランジ部２７を複数含む。フランジ部２７は溝部２４内に突き出して位置し、その上端２８が唇部８の下側部分に係合して位置している。好ましくは、下が切り取られた係止フランジ部２７は、壁２２の一体となった一部として形成され、溝部２４が側壁面４の上端に置かれるとき、唇部８の通過が可能となるのに充分な柔軟性を有する。好ましい実施形態において、係止フランジ部２７は、壁２２の一部としてモールド成形される。係止フランジ部２７は、好ましくは、例えば、低密度ポリエチレンの高分子材料で作られて、それらの屈曲を可能として、その結果、フランジ部２７が唇部８を越えて通過することを可能とする。溝部２４の幅は、概ね、唇部８の幅に等しい。好ましい実施形態において、取付構造部２０とその構成壁部２１，２２の長さは、取付構造部２０が固定される長方形状の収納部２の長辺側の側面４Ａの１つの長さよりも短い。取付構造部２０は壁部分２１，２２の間に延び、それらに接続する湾曲部分３０を含む。見られるように、湾曲部３０は、各々の係止部材２７の上に各々が位置する、間隔を有して離れた開口部３３を複数備える。開口部３３は、係止フランジ部２７を備えた取付構造部が一体となった単位としてモールド成型されることを可能とする。図示された構成において、取付構造部２０の長さに沿って位置する３つの開口部３３と３つの係止フランジ部２７とがある。示されるように、取付構造部２０と縁部３５とを含む蓋部構造３の一体となった構成要素の構成において、モールド成型によって、蓋部構造は、基本的には図３に示されるように、縁部３５に関連する位置に置かれ得る。好ましい実施形態において、取付構造部２０と縁部３５とは、その間にて機能するヒンジ部材３７を備えた一体となった単位としてモールド成型され、低密度ポリエチレンのような高分子材料やその他の適する高分子材料でモールド成型される。
【００１２】
蓋部構造３を収納部２に取り付ける第２の手段において、接着剤による取り付けのために、唇部８の上側の表面部分３９（図３）の間に接着剤が適用される。加えて、側壁面は、側壁面に対する取付構造部２０の熱密閉を可能とする高分子材料にて被覆される。縁部３５は、図１乃至図３にて示される蓋部構造の形式において、収納部２の側壁面４の全体に実質的に延びて、周辺に延伸するスカート部４１を含む。縁部３５は、開口部４６を画定するフランジ部４５（図２）を含む。板紙カバー４８は、例えば、接着や熱密閉によって、フランジ部４５に適切に固定され、開口部４６を囲む。カバー４８に対する板紙の使用は、製品の展示のためにその上への特徴の印刷を可能とし、即ち、たとえ蓋部構造の全体をプラスチックで作ることができるにせよ、ブランド名、製品の型、正味重量等がカバー４８に含まれる。
【００１３】
上にて示唆されたように、スカート部４１とフランジ部４５とは、一体となった単位として形成され、ヒンジ部材３７にて接合されている取付構造部２０と一体とされる。ヒンジ３７は、減じられた厚さ部分４９をその中に有する。
【００１４】
見られるように、フランジ部４５は、スカート部４１の内側周縁の周りに延びる。スカート部４１は、蓋部構造２０が閉じた形状にあるときに側壁面４の上端の形状を保つのを助けるために、取付構造部２０の反対側にリブ部５２を備え、それによって、リブ部５２は、唇部８に隣接する側壁面の内側表面に係合する。リブ部５２はまた、蓋部構造２０が閉じた形状にあるとき、蓋部構造２０を収納部２に差し込むことを助ける。
【００１５】
ラッチ部材５５は、開放可能な状態で蓋部構造２０を図１に示す閉じた形状で動かないようにするように、提供される。開放されるとき、蓋部構造は、その縁部３５を図２及び図３に示されるような開いた形状に移動させることを可能にする。ラッチ部材５５は、係止のために下が切り取られた突出部又はフランジ部材５７を含み、それは、フランジ部材２７に類似する下が切り取られた部分を有した形状である。好ましくは、下が切り取られた突出部又はフランジ部材５７は、ラッチ部材５５の一体となった部品として形成され、更に、係止フランジ部５７の前方に位置する不正開封防止のためのタブ部５９を含む。フランジ部４５は開口部３３に類似の開口部６０を備えており、一体となった組み立てとしてラッチ部材５５のモールド成型を容易にする。ラッチ部材５５は、フランジ部４５から延びて、スカート部４１の反対側にある端部分６３，６４の間に位置する。図面はスカート部４１の概ね中央に位置するスカート部４１のラッチ部材５５と端部分６３，６４とを示しているが、ラッチ部材５５と端部分６３，６４とはスカート部の周縁周りのどこかに位置されればよい。例えば、ラッチ部材５５と端部分６３、６４とは、スカート部４１の隅部の概ね１つに位置されればよい。
【００１６】
ラッチ部材５５は、図１及び図２に最も良く示された、各々の端部分６３，６４に各々が近接して位置している反対側にある端部分６５，６６を有する。破裂又は破壊域７１又は７２は、図１に最も良く示されたように、近接する側の縁６３，６５と６４，６６の各々の間に備えられる。好ましい実施形態において、スカート部４１とラッチ部材５５とが形成されるとき、破裂域７１，７２はモールド成型によって形成される薄い材料の領域である。ラッチ部材５５がスカート部４１から部分的に離れるとき、破裂域７１，７２は破裂を指向するために動作可能である。離れるとき、ラッチ部材５５の自由端７５（図２）は、領域７７の周りにてヒンジされたラッチ部材５５を備えたスカート部４１から離れる方向に移動することができ、係止フランジ部５７を唇部８の下側表面との係合から開放して、図２及び図３にて示されるように、スカート部４１が開放位置へと移動することを可能とする。
【００１７】
領域７１，７２は、ラッチ部材５５の開放の動きをもたらすためにユーザによって作られた破裂を指向する。図１乃至図３にて示された実施形態において、スカート部４１は、縁部３５の外縁部の周りに広がる。フランジ部４５もまた、スカート部４１の内側の外縁部の周りに広がる。図２及び図３に最も良く示されるように、隅部８０は、その中に取付構造壁２２を収納するように形成される。フランジ部４５の内部に含まれる隅部８０の部分８１はその中に湾曲壁３０を収納し、それによって、端部８３は角部８５に近接して位置する。蓋部構造２が閉じた形状であるとき、端部８３と角部８５とは取付構造部２０を隅部８０の中に維持するために協働することができる。動作中に縁部３５を閉じた形状から開いた形状へと動かすことに対して低い抵抗力を与えて、ヒンジ部３７が蓋部構造３を図３に示された形状へと付勢するので、蓋部構造３の収納部２への組み立てを容易にする。
【００１８】
スカート部４１はまた、フランジ部４５から内側に向かってスペースを有して突き出た１又は２以上のリブ部９０を備える。リブ部９０は唇部８と係合して、係止部材５７に加えて、縁部３５を閉じた形状に保持することを助ける。破裂域を破壊することなく容器を容易に開けることができないので、ラッチ部材５５の反対の側６５，６６の上の破裂域７１，７２は、不正開封防止の機能（tamper evidence）を消費者に提供する。係止破裂域７１，７２を破壊しないで係合解除されるのを防ぐために、係止フランジ部５７は唇部８の下側の表面の下にかなり充分に突き出ている。
【００１９】
図４及び図５は、蓋部構造の代替の実施形態を示す。代替の実施形態は、図示されているように、収納部２と修正された蓋部構造３とを含む。蓋部構造３Ａは、上述したように、取付構造部２０を含む。蓋部構造３Ａは、上述と同じ構造の縁部３５を含む。加えて、リブ部５２の代わりに、蓋部構造３はリブ部５２と基本的に同じ機能を果たすが、側壁面４のより多くの表面領域に係合するためにより高いタブ部１１０を含む。
【００２０】
図１乃至図３に示した実施形態と図４及び図５との主要な相違は、取付構造部２０と縁部３５構造との間のヒンジ領域にある。図４に示されるように、スカート部４１は、端部１１２，１１４との間のギャップ１１６を備えた取付構造部２０に近接する向かい合った端部１１２，１１４を有する。ギャップ１１６は、好ましくは、壁２２の長さＬよりも僅かに長い。従って、蓋部構造３Ａが閉じた形状にあるとき、壁２２はギャップ１１６（向かい合った端部１１２と１１４との間の空間）の中に位置され、それによって、容器に対してしっかりとした密閉を形成する。換言すれば、長さＬを有する壁２２を備えた実質的に同一の広がりを持つギャップ１１６は、ヒンジ状態とされた蓋部構造３Ａが折り曲げられて、収納部２に対向して実質上同一平面となることを可能とする。一対のヒンジ部材１１５は、取付構造部２０に関連した縁構造３５のヒンジ状の動きを可能とするために、スカート部４１を壁２２に接続する。ヒンジ部１１５は、取付構造部２０と縁構造３５とを同時にモールド成型する間に形成される、一体となった材料であり得る。図５に示されるように、スリット部１１７，１１８は、ヒンジ部１１５を作り出すために、モールド型にて形成される。スリット部１１７は縁構造３５に形成され、スリット部１１８は取付構造部２０に形成される。ヒンジ部１１５は、ねじれた状態で働く。
【００２１】
図５に図示されるように、蓋部構造３Ａが閉じた位置にあるとき、ヒンジ部１１５は自然で捩られていない状態にある。図４に図示されるように、蓋部構造３Ａが開いた位置にあるとき、ヒンジ部１１５は変形して捩られた状態にある。蓋部構造３Ａが図４に示された開いた位置にあるとき、ヒンジ部１１５が蓋部構造３Ａの重さに打ち勝つことがないように、ヒンジ部１１５は、厚さ、幅、長さ及び材料を有して構成される。このことは、蓋部構造３Ａが開いた位置のままでいることを可能とし、一旦開いた位置となると閉じた位置へ跳ね返らないことを可能とする。図４，図５に示された発明の形式において、蓋部構造３Ａは上述したような高分子材料で形成されることが好ましい。
【００２２】
図６は、本発明の第２の代替の実施形態を示す。先の２つの実施形態に関して、収納部２は上述の通りである。取付構造部２０もまた上述の通りである。示されているように、本実施形態において、蓋部構造３Ｂは、先の２つの実施形態において提供されたようなラッチ部材５５に類似のラッチ部材１２８を含む。しかしながら、ラッチ部材５５とは違って、ラッチ部材１２８はスカート部４１の幅全体に実質的には広がっていない。代わって、ラッチ部材１２８は、スカート部４１の幅よりも実質的に少ない幅を有し、図６に示すように、領域１３１の周りをスカート部４１に関連してヒンジ状に動く。
【００２３】
本実施形態はまた、ラッチ部材１２８の横の端に近接して破裂又は破壊域１２１又は１２３を含む。破裂域１２１，１２３は、ラッチ部材１２８の開口動作を実効あらしめるためにユーザによってなされる破裂を指向する。好ましい実施形態において、スカート部４１とラッチ部材１２８とが形成されるとき、破裂域１２１，１２３はモールド成型によって形成される薄い材料からなる領域である。ラッチ部材１２８がスカート部４１から部分的に離れるとき、破裂域１２１，１２３は破裂を指向するために動作可能である。再び、部分的に離れるとき、ラッチ部材１２８は、領域１３１の周りをヒンジ状に移動することができる。また、図６に示されるように、本実施形態は、切欠部１１９を有する。切欠部１１９は、蓋部構造３Ｂが開口されるとき、ユーザがリブ部９０を唇部８から係合解除することを助けるために備えられる。
【００２４】
図７は、本発明の第３の代替の実施形態を示す。先の実施形態と同じように、収納部２は上述の通りである。取付構造部２０もまた上述の通りである。本実施形態において、蓋部構造３Ｃはラッチ部材１３２を含む。示されるように、先の実施形態にて述べられたように、ラッチ部材１３２はラッチ部材５５，１２８よりも実質的に大きい長さを有する。本実施形態は、ラッチ部材１３２の横の縁に近接した破裂又は破壊域１２９を含む。破裂域１２９は、ラッチ部材１３２の開口動作を実効あらしめるためにユーザによってなされる破裂を指向する。再び、好ましい実施形態において、スカート部４１とラッチ部材１３２とが形成されるとき、破裂域１２９はモールド成型によって形成される薄い材料からなる領域である。ラッチ部材１３２がスカート部４１から部分的に離れるとき、破裂域１２９は破裂を指向するために動作可能である。部分的に離れるとき、ラッチ部材１３２は、領域１３３の周りをスカート部４１に関連してヒンジ状に動くことができる。また、図７に図示されるように、本実施形態は切欠部１３０を有する。蓋部構造３Ｃが開口されるとき、切欠部１３０はユーザがリブ部９０を唇部８から係合解除するのを助けるために備えられる。
【００２５】
図８，図９は、本発明の第４の代替の実施形態を示す。先の実施形態と同様に、収納部２は、上述の通りである。取付構造部２０もまた上述の通りである。取付構造部２０に近接している点を除いて、縁部１２０は縁部４１に対して実質的に上述と同じである。示されるように、カバー４８は、図３に示すヒンジ部３７が有するヒンジと同じヒンジ機能を果たす部分１２２をその中に有する。図示されるように、縁部１２０は、取付構造部２０に近接して位置する向かい合った端部１２５と１２６との間にギャップを備えたスカート部１２４を有する。フランジ部１２７もまた、ヒンジ領域１２２と取付構造部２０とに近接して途切れる。本実施形態において、カバー４８は線１２２に沿って折り目が入れられ、それに沿った板紙カバーの曲げを容易にしている。この方法では、カバーは蓋部構造３Ｄに対してフランジ部として機能し、開いた位置（図９）と閉じた位置（図８）との間を動く。図９に最もよく示されるように、縁部１２０が容器の開いた位置へと移動するとき、カバー４８は線１２２に沿って逆に曲げられる。カバー４８は、例えば、接着または熱密閉によって、取付構造部に適切に固定される。
【００２６】
このように、新規発明のいくつかの実施形態が示され、記述されてきた。先行する記述からも明らかなように、本発明のいくつかの態様は、ここに図示された実施例の特別な詳細によって限定されず、それゆえに、他の修正や応用、或いは、その同等物が、本技術分野の当業者に思いつくことが考えられる。先の明細書において使われているような、用語「有する」、「含む」、及び、類似の用語は、「付加的な」、又は、「含むかもしれない」の意味で使われており、「必要とされる」として使われていない。しかしながら、明細書と添付図面とを検討した後、本発明の多くの変化、修整、変形、他の用法、及び、応用が、当該技術分野の当業者には明らかになるだろう。本発明の精神及び範囲から離れない、そのような変化、修整、変形及び用途、と、応用のすべてが、以下に記載の特許請求の範囲によってのみ限定される発明によって覆われると考える。
【図面の簡単な説明】
【００２７】
【図１】本発明の一実施形態に従った、閉じた形状にある蓋部構造を示す食品容器の斜視図である。
【図２】開いた形状における蓋部構造の部分を示す、図１の容器の斜視図である。
【図３】図２の線３−３に沿った拡大された部分破断図である。
【図４】開いた形状の蓋部構造を示す、本発明の代替の実施形態の斜視図である。
【図５】閉じた形状の蓋部構造を示す、図４の容器の部分正面図である。
【図６】閉じた形状の蓋部構造を示す、本発明の第２の代替の実施形態の斜視図である。
【図７】閉じた形状の蓋部構造を示す、本発明の第３の代替の実施形態の斜視図である。
【図８】閉じた形状の蓋部構造を示す、本発明の第４の代替の実施形態の斜視図である。
【図９】開いた形状の蓋部構造を示す、図８の実施形態の斜視断面図である。
【図１】
0005174562.tif 000002
【図２】
0005174562.tif 000003
【図３】
0005174562.tif 000004
【図４】
0005174562.tif 000005
【図５】
0005174562.tif 000006
【図６】
0005174562.tif 000007
【図７】
0005174562.tif 000008
【図８】
0005174562.tif 000009
【図９】
0005174562.tif 000010